(57)【特許請求の範囲】
【請求項１】
甲被の前部開口部に沿って設けた鳩目飾りの内甲側と外甲側の相対峙する位置に複数の靴紐挿通用の鳩目穴を配置した運動靴において、相対峙する鳩目穴の中間点を結んだ線で、前記鳩目穴に沿う前部開口部の中間点を結んだ線でもある鳩目軸線の最も爪先側にある中間点（始点）及び最も履口側にある中間点（終点）が概ね足軸上にあり、前記鳩目軸線の屈曲する位置が中足趾節関節の近傍及び足根中足関節の近傍にあるように形成し、かつ、鳩目軸線の始点から中足趾節関節の近傍までの鳩目軸線の水平投影角度が足軸に対して足軸踵方向外側に０〜３０度の範囲にあり、中足趾節関節の近傍から足根中足関節の近傍までの鳩目軸線の水平投影角度が足軸に対して足軸踵方向外側に−１０〜−４５度の範囲にあり、足根中足関節の近傍から鳩目軸線の終点までの鳩目軸線の水平投影角度が足軸に対して足軸踵方向外側に１０〜３５度の範囲にあることを特徴とする運動靴。
【発明の詳細な説明】
【０００１】
【発明の属する技術分野】
本発明は、甲被の鳩目飾りに配置した鳩目穴の配列を変更した運動靴に関するものである。
【０００２】
【従来の技術】
従来より、甲被を締め付ける構造として装着された鳩目穴の配列を変更した靴においては、たとえば、実用新案昭３８−１７９１７号（従来技術１）には、内側の鳩目穴と外側の鳩目穴を互いに対称にすることなく、外側の鳩目穴を内側の鳩目穴より１ポイント後方に偏るよう穿孔して、足が靴の踵方向および外甲側に滑動することを防止したことを特徴とする靴が開示されている。また、特開平８−６６２０５号（従来技術２）には、内外の紐穴の位置する角度を、最も爪先寄りにある紐穴については踏付線と平行に、最も踵寄りの紐穴については靴型中心線と概ね直角にして、足に対する靴のフィット性を向上させることを特徴とする靴も開示されている。更に、鳩目穴の配列を足軸に対して対称な位置から横に平行にずらしたり、足軸に対してある角度を持たす技術（従来技術３）に至っては、従来より業界内で広く実施されていることは周知の事実である。
【０００３】
【発明が解決しようとする課題】
しかし、実用新案昭３８−１７９１７号（従来技術１）に記載された鳩目穴を後方に偏るように穿孔したトレーニングシューズでは、紐締めの方向が鳩目穴の配列に対して外側後方に傾斜しており、内側の鳩目穴と外側の鳩目穴の間で剪断力が発生し、甲被が攀じれたりして足への靴のフィット性が優れなかった。また、特開平８−６６２０５号（従来技術２）に記載された、内外の紐穴の位置する角度を変化させる靴では、甲部峰角度という解剖学上の寸法を取り入れることで、足部の静的な状態でのフィット性を向上させることができたが、スポーツでの使用におけるような足部の動的な形状変化に対するフィット性については考慮されておらず、身体動作を補助する機能は提供されていない。
【０００４】
そこで、本発明は、運動時の足部の動的な形状変化を考慮した運動靴を提供することで、運動中にもフィット性を損なうことなく、足部が靴底に対して位置的相関関係を維持することにより、力の伝達損失を減少させ、身体運動の向上に貢献することを目的とするものである。
【０００５】
【課題を解決するための手段】
上記の目的を達成するために、足部の関節軸とその動きに着目し、動きが異なる足部の部位毎に、甲被の締め付け方向を変更する構造を持った運動靴とする。即ち、本発明は、甲被の前部開口部に沿って設けた鳩目飾りの内甲側と外甲側の相対峙する位置に複数の靴紐を挿通する鳩目穴を配置した運動靴において、相対峙する鳩目穴の中間点を結んだ線で、前記鳩目穴に沿う前部開口部の中間点を結んだ線でもある鳩目軸線が２箇所で屈曲するように形成する。前記鳩目軸線が屈曲する位置を、足部の中足趾節関節の近傍及び足根中足関節の近傍の位置に設定する。
【０００６】
【発明の実施の形態】
本発明の運動靴においては、運動靴を足にフィットさせる方法として、甲被の前部開口部に設けた鳩目飾りに穿孔した複数の鳩目穴に靴紐を挿通して締め付け度合いを調節する手段を用いている。
【０００７】
図３に示した人の足の骨格構造により運動時における人の足の骨格の動きを見ると、距腿関節軸を中心に足先が上を向く動き（背屈）と足先が下を向く動き（底屈）の中で、底屈時に副次的に生じる外転の動きから中足骨頭列は足軸に対して外側後方に傾斜した動きをする。また、距骨頚部背側から斜め後方外側に走る距骨下関節軸を中心に、足底が内側を向く回外と足底が外側を向く回内の動きを生じ、底屈時に生じる回外の動きで足根骨は足軸に対して内側後方に傾斜した動きをする。従って、甲被の鳩目飾りに設ける鳩目穴の位置を、足の骨格の各部位の底背屈時の変位に対して直交する位置に配置することによって、各部位での動きに対して効果的に甲被を締め付けることができ、足部が靴底に対して位置的相関関係を維持することができる。
【０００８】
即ち、甲被の締め付けの方向は、踵から足軸に沿って足長の６５〜７５％の距離の範囲にある中足趾節関節の近傍より踵側寄りの領域においては、背底屈時に副次的に生じる内転外転の動きを生じる中足骨頭列での動きに平行となるように外側後方に傾斜させ、また、踵から足軸に沿って足長の４５〜５５％の距離の範囲にある足根中足関節の近傍より踵側寄りの領域においては、回内、回外の動きを生じる足根骨での動きに平行となるように内側後方に傾斜させる。このため、甲被の前部開口部に設ける鳩目飾りの外甲側及び内甲側に相対峙して穿孔する鳩目穴と鳩目穴、および、鳩目穴に沿う相対峙する開口部とを結んだ直線上に中間点を設定し、中間点と中間点とを結んで鳩目軸線を想定し、その鳩目軸線が中足趾節関節の近傍及び足根中足関節の近傍の位置で屈曲するように鳩目穴および開口部を形成する。
【０００９】
前記鳩目軸線の最も爪先側にある中間点（始点）および最も履口側にある中間点（終点）は概ね足軸上にあり、かつ、鳩目軸線が屈曲する角度は、足軸に対する爪先から踵方向への水平投影角度が鳩目軸線の始点から中足趾節関節の近傍の間の領域においては０〜３０度の範囲にあり、中足趾節関節の近傍から足根中足関節の近傍の間の領域においては−１０〜−４５度の範囲にあり、足根中足関節の近傍から鳩目軸線の終点の間の領域においては１０〜３５度の範囲にあるように設定する。
【００１０】
本発明の実施例である靴紐による締め付け構造における作用効果は、他の方法による締め付け構造、例えば、ベルベットファスナーを用いたベルト構造による締め付け構造にも応用することができる。
【００１１】
【実施例】
本発明の実施例を図面に基づいて説明する。
図１は、本発明の実施例である運動靴を上面から見た平面図、図２は、本発明における運動靴の上面と人の足の骨格構造との位置関係を示す略図、図３は人の足の骨格構造を示す平面図である。運動靴の甲被の前部開口部に設けた鳩目飾りに穿孔した鳩目穴に靴紐を挿通して甲被の締め付け度合いを調節する構成の運動靴１において、甲被２の前部開口部３に沿って設けた鳩目飾り４の外甲側と内甲側の相対峙する位置に複数の鳩目穴５を形成する。
【００１２】
本実施例においては、図２に示すように、その相対峙する外甲側の鳩目穴５および開口部と内甲側の鳩目穴５および開口部を結んだ直線上に中間点６を設定し、中間点６と中間点６とを結んで鳩目軸線７を想定し、その鳩目軸線７が、中足趾節関節９の近傍及び足根中足関節１０の近傍の２か所で屈曲するように鳩目穴５を設定する。
【００１３】
その鳩目穴５は、鳩目軸線７の最も爪先側にある中間点（始点）６ａ及び最も履口側にある中間点（終点）６ｂが概ね足軸８上にあり、かつ鳩目軸線の始点６ａから中足趾節関節９の近傍までの鳩目軸線７ａの水平投影角度が足軸８に対して３０度（図２において、α）、中足趾節関節９の近傍から足根中足関節１０の近傍までの鳩目軸線７ｂの水平投影角度が足軸８に対して−３０度（図２において、β）、足根中足関節１０の近傍から鳩目軸線の終点６ｂまでの鳩目軸線７ｃの水平投影角度が１５度（図２において、γ）となるように設定する。
【００１４】
【発明の効果】
以上のように、本発明は、前記の構成にしたから、このような運動靴を使用する時には、運動中に底背屈、内外転の動きを生じる中足趾節関節における、あるいは回内、回外の動きを生じる足根中足関節における足部の動きに平行するように靴紐を締め付けることができるので、足部の動きに対して効果的に甲被が締めつけられて、足に対する靴のフィット性が向上する。即ち、運動中の身体加速局面等で蹴り出す動作（底屈）時に、足の骨格形状から副次的に発生する内外転や回内、回外といった動作による足の変形に対して、変形方向と概ね平行に甲被を締め付けることにより、足が靴の中でずれることを防止し、運動中の力の伝達損失を減少させ（エネルギーロスを防止して）、身体運動を向上させることができる。
【００１５】
更に、足部が靴底に対して位置的相関関係を維持することで、運動接地面に力を及ぼす靴底意匠に対しても適性位置に足を保つことができる。即ち、スパイクを有する靴ではスパイクに対して足を、意匠パターンを配したゴム底を有する靴では意匠パターンに対して足を適正位置に保持でき、トラクション向上を図った靴底意匠パターンの効果を引き出すことができる。
【００１６】
また、本発明のような靴紐による締め付け構造以外にも、例えばベルベットファスナーを用いたベルト構造による締め付け具を装着する場合にも応用することができる。
【図面の簡単な説明】
【図１】本発明の実施例である運動靴を上面から見た平面図。
【図２】本発明の実施例である運動靴の上面と人の足の骨格構造との位置関係を示す略図。
【図３】人の足の骨格構造を示す略図。
【符号の説明】
１    運動靴
２    甲被
３    開口部
４    鳩目飾り
５    鳩目穴
６    中間点
６ａ  中間点（始点）
６ｂ  中間点（終点）
７    鳩目軸線
７ａ  鳩目軸線
７ｂ  鳩目軸線
７ｃ  鳩目軸線
８    足軸
９    中足趾節関節
１０  足根中足関節
【図１】
0003600040.tif 000002
【図２】
0003600040.tif 000003
【図３】
0003600040.tif 000004